(57)【要約】本開示の態様は、半二重動作を利用する中継器のための制御チャネルを管理するための技法を提供する。いくつかの態様によれば、１つまたは複数の基準に基づいて、ＰＤＣＣＨのあるタイプが選択され得る。【選択図】図７
2015535663.tif 000002
【特許請求の範囲】
【請求項１】
基地局によるワイヤレス通信のための方法であって、
１つまたは複数の基準に基づいて、前記基地局と前記基地局によってサービスされるユーザ機器（ＵＥ）との間の送信を中継するために使用される半二重中継ノードへの送信のために、物理ダウンリンク制御チャネル（ＰＤＣＣＨ）の第１のタイプまたはＰＤＣＣＨの第２のタイプを選択することと、
サブフレーム中で前記選択されたタイプのＰＤＣＣＨを前記半二重中継ノードに送信することと
を備える、方法。
【請求項２】
前記ＰＤＣＣＨの第１のタイプは、ＴＤＭ構造に基づき、
前記ＰＤＣＣＨの第２のタイプは、ＦＤＭ構造に基づく、
請求項１に記載の方法。
【請求項３】
前記ＰＤＣＣＨの第１のタイプは、中継ＰＤＣＣＨ（Ｒ−ＰＤＣＣＨ）であり、
前記ＰＤＣＣＨの第２のタイプは、拡張ＰＤＣＣＨ（ｅＰＤＣＣＨ）である、
請求項１に記載の方法。
【請求項４】
Ｒ−ＰＤＣＣＨのための複数のリソース割振りを構成することをさらに備える、
請求項３に記載の方法。
【請求項５】
ｅＰＤＣＣＨのためのサブフレーム中で終了シンボルを構成することをさらに備える、
請求項３に記載の方法。
【請求項６】
前記ＰＤＣＣＨの第１のタイプは、共通基準信号（ＣＲＳ）または復調基準信号（ＤＭ−ＲＳ）を用いて送信され、
前記ＰＤＣＣＨの第２のタイプは、ＤＭ−ＲＳを用い、ＣＲＳを用いずに送信される、
請求項１に記載の方法。
【請求項７】
前記１つまたは複数の基準は、前記中継ノードの処理能力に関係する、
請求項１に記載の方法。
【請求項８】
前記１つまたは複数の基準は、前記中継ノードと前記基地局との間のチャネル状態に関係する、
請求項１に記載の方法。
【請求項９】
前記中継ノードのアップリンクタイミングアドバンスがしきい値を上回る場合、ＰＤＣＣＨの前記第１のタイプが選択され、
前記中継ノードの前記アップリンクタイミングアドバンスがしきい値を下回る場合、ＰＤＣＣＨの前記第２のタイプが選択される、
請求項８に記載の方法。
【請求項１０】
前記１つまたは複数の基準は、ユーザ機器として働くときに初期アクセスのために使用される前記中継ノードＰＤＣＣＨのタイプに関係する、
請求項１に記載の方法。
【請求項１１】
前記１つまたは複数の基準は、前記中継ノードによって示されるＰＤＣＣＨの好ましいタイプに関係する、
請求項１に記載の方法。
【請求項１２】
ＰＤＣＣＨの前記選択されたタイプの指示を前記中継ノードに与えること
をさらに備える、請求項１に記載の方法。
【請求項１３】
中継ノードによるワイヤレス通信のための方法であって、
基地局と前記基地局によってサービスされるユーザ機器（ＵＥ）との間の送信を中継するために前記中継ノードを使用する前記基地局から送信される物理ダウンリンク制御チャネル（ＰＤＣＣＨ）の第１のタイプをモニタすべきかＰＤＣＣＨの第２のタイプをモニタすべきかを決定することと、
サブフレーム中で前記決定されたタイプのＰＤＣＣＨをモニタすることと
を備える、方法。
【請求項１４】
前記ＰＤＣＣＨの第１のタイプは、ＴＤＭ構造に基づき、
前記ＰＤＣＣＨの第２のタイプは、ＦＤＭ構造に基づく、
請求項１３に記載の方法。
【請求項１５】
前記ＰＤＣＣＨの第１のタイプは、中継ＰＤＣＣＨ（Ｒ−ＰＤＣＣＨ）であり、
前記ＰＤＣＣＨの第２のタイプは、拡張ＰＤＣＣＨ（ｅＰＤＣＣＨ）である、
請求項１３に記載の方法。
【請求項１６】
Ｒ−ＰＤＣＣＨのための複数のリソース割振りの構成の指示を受信することをさらに備える、
請求項１５に記載の方法。
【請求項１７】
ｅＰＤＣＣＨのためのサブフレーム中で終了シンボルの構成の指示を受信することをさらに備える、
請求項１５に記載の方法。
【請求項１８】
前記ＰＤＣＣＨの第１のタイプは、共通基準信号（ＣＲＳ）または復調基準信号（ＤＭ−ＲＳ）を用いて送信され、
前記ＰＤＣＣＨの第２のタイプは、ＤＭ−ＲＳを用い、ＣＲＳを用いずに送信される、
請求項１３に記載の方法。
【請求項１９】
前記決定することは、前記中継ノードと前記基地局との間のチャネル状態に少なくとも部分的に基づく、
請求項１３に記載の方法。
【請求項２０】
前記決定することは、
前記中継ノードのアップリンクタイミングアドバンスがしきい値を上回る場合、ＰＤＣＣＨの前記第１のタイプをモニタすることを決定することと、
前記中継ノードの前記アップリンクタイミングアドバンスがしきい値を下回る場合、ＰＤＣＣＨの前記第２のタイプをモニタすることを決定することと
を備える、請求項１９に記載の方法。
【請求項２１】
前記決定することは、ユーザ機器として働くときに初期アクセスのために使用される前記中継ノードＰＤＣＣＨのタイプに少なくとも部分的に基づく、
請求項１３に記載の方法。
【請求項２２】
前記中継ノードからのＰＤＣＣＨの好ましいタイプの明示的指示を送信することをさらに備える、
請求項１３に記載の方法。
【請求項２３】
前記決定することは、
前記基地局からＰＤＣＣＨの選択されたタイプの指示を受信することを備える、
請求項１３に記載の方法。
【請求項２４】
基地局によるワイヤレス通信のための装置であって、
１つまたは複数の基準に基づいて、前記基地局と前記基地局によってサービスされるユーザ機器（ＵＥ）との間の送信を中継するために使用される半二重中継ノードへの送信のために、物理ダウンリンク制御チャネル（ＰＤＣＣＨ）の第１のタイプまたはＰＤＣＣＨの第２のタイプを選択することと、サブフレーム中で前記選択されたタイプのＰＤＣＣＨを前記半二重中継ノードに送信することとを行うように構成される少なくとも１つのプロセッサと、
前記少なくとも１つのプロセッサに結合されたメモリと
を備える、装置。
【請求項２５】
前記１つまたは複数の基準は、ユーザ機器として働くときに初期アクセスのために使用される前記中継ノードＰＤＣＣＨのタイプに関係する、
請求項２４に記載の装置。
【請求項２６】
前記少なくとも１つのプロセッサは、ＰＤＣＣＨの前記選択されたタイプの指示を前記中継ノードに与えるようにさらに構成される、
請求項２４に記載の装置。
【請求項２７】
中継ノードによるワイヤレス通信のための装置であって、
基地局と前記基地局によってサービスされるユーザ機器（ＵＥ）との間の送信を中継するために前記中継ノードを使用する前記基地局から送信される物理ダウンリンク制御チャネル（ＰＤＣＣＨ）の第１のタイプをモニタすべきかＰＤＣＣＨの第２のタイプをモニタすべきかを決定することと、サブフレーム中で前記決定されたタイプのＰＤＣＣＨをモニタすることとを行うように構成される少なくとも１つのプロセッサと、
前記少なくとも１つのプロセッサに結合されたメモリと
を備える、装置。
【請求項２８】
前記決定することは、
ユーザ機器として働くときに初期アクセスのために使用される前記中継ノードＰＤＣＣＨのタイプに少なくとも部分的に基づく、
請求項２７に記載の装置。
【請求項２９】
前記少なくとも１つのプロセッサが、前記中継ノードからのＰＤＣＣＨの好ましいタイプの明示的指示を送信するようにさらに構成された、請求項２７に記載の装置。
【請求項３０】
前記決定することは、
前記基地局からＰＤＣＣＨの選択されたタイプの指示を受信することを備える、
請求項２７に記載の装置。
【発明の詳細な説明】
【関連出願】
【０００１】
[0001]本特許出願は、本出願の譲受人に譲渡され、その全体が参照により本明細書に明確に組み込まれる、２０１２年１１月９日に出願された米国仮出願第６１／７２４，７７８号の優先権を主張する。
【技術分野】
【０００２】
[0002]本開示の態様は、一般にワイヤレス通信システムに関し、より詳細には、物理ダウンリンク制御チャネル（ＰＤＣＣＨ：physical downlink control channel）を中継ノードに通信するための技法に関する。
【背景技術】
【０００３】
[0003]ワイヤレス通信ネットワークは、音声、ビデオ、パケットデータ、メッセージング、ブロードキャストなどの様々な通信サービスを提供するために広く展開されている。これらのワイヤレスネットワークは、利用可能なネットワークリソースを共有することによって複数のユーザをサポートすることが可能な多元接続ネットワークであり得る。そのような多元接続ネットワークの例としては、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングルキャリアＦＤＭＡ（ＳＣ−ＦＤＭＡ）ネットワークがある。
【０００４】
[0004]ワイヤレス通信ネットワークは、いくつかのユーザ機器（ＵＥ）のための通信をサポートすることができるいくつかの基地局を含み得る。ＵＥは、ダウンリンクおよびアップリンクを介して基地局と通信し得る。ダウンリンク（または順方向リンク）は基地局からＵＥへの通信リンクを指し、アップリンク（または逆方向リンク）はＵＥから基地局への通信リンクを指す。
【発明の概要】
【０００５】
[0005]本開示のいくつかの態様は、基地局によるワイヤレス通信のための方法を提供する。本方法は、概して、１つまたは複数の基準に基づいて、基地局と基地局によってサービスされるユーザ機器（ＵＥ）との間の送信を中継するために使用される半二重中継ノードへの送信のために、物理ダウンリンク制御チャネル（ＰＤＣＣＨ）の第１のタイプまたはＰＤＣＣＨの第２のタイプを選択することと、サブフレーム中で選択されたタイプのＰＤＣＣＨを半二重中継ノードに送信することとを含む。
【０００６】
[0006]本開示のいくつかの態様は、中継ノードによるワイヤレス通信のための方法を提供する。本方法は、概して、基地局と基地局によってサービスされるユーザ機器（ＵＥ）との間の送信を中継するために中継ノードを使用する基地局から送信される物理ダウンリンク制御チャネル（ＰＤＣＣＨ）の第１のタイプをモニタすべきかＰＤＣＣＨの第２のタイプをモニタすべきかを決定することと、サブフレーム中で決定されたタイプのＰＤＣＣＨをモニタすることとを含む。
【０００７】
[0007]本開示のいくつかの態様は、基地局によるワイヤレス通信のための装置を提供する。本装置は、概して、１つまたは複数の基準に基づいて、基地局と基地局によってサービスされるユーザ機器（ＵＥ）との間の送信を中継するために使用される半二重中継ノードへの送信のために、物理ダウンリンク制御チャネル（ＰＤＣＣＨ）の第１のタイプまたはＰＤＣＣＨの第２のタイプを選択するための手段と、サブフレーム中で選択されたタイプのＰＤＣＣＨを半二重中継ノードに送信するための手段とを含む。
【０００８】
[0008]本開示のいくつかの態様は、中継ノードによるワイヤレス通信のための装置を提供する。本装置は、概して、基地局と基地局によってサービスされるユーザ機器（ＵＥ）との間の送信を中継するために中継ノードを使用する基地局から送信される物理ダウンリンク制御チャネル（ＰＤＣＣＨ）の第１のタイプをモニタすべきかＰＤＣＣＨの第２のタイプをモニタすべきかを決定するための手段と、サブフレーム中で決定されたタイプのＰＤＣＣＨをモニタするための手段とを含む。
【０００９】
[0009]本開示のいくつかの態様は、基地局によるワイヤレス通信のための装置を提供する。本装置は、概して、１つまたは複数の基準に基づいて、基地局と基地局によってサービスされるユーザ機器（ＵＥ）との間の送信を中継するために使用される半二重中継ノードへの送信のために、物理ダウンリンク制御チャネル（ＰＤＣＣＨ）の第１のタイプまたはＰＤＣＣＨの第２のタイプを選択することと、サブフレーム中で選択されたタイプのＰＤＣＣＨを半二重中継ノードに送信することとを行うように構成された少なくとも１つのプロセッサと、少なくとも１つのプロセッサに結合されたメモリとを含む。
【００１０】
[0010]本開示のいくつかの態様は、中継ノードによるワイヤレス通信のための装置を提供する。本装置は、概して、基地局と基地局によってサービスされるユーザ機器（ＵＥ）との間の送信を中継するために中継ノードを使用する基地局から送信される物理ダウンリンク制御チャネル（ＰＤＣＣＨ）の第１のタイプをモニタすべきかＰＤＣＣＨの第２のタイプをモニタすべきかを決定することと、サブフレーム中で決定されたタイプのＰＤＣＣＨをモニタすることとを行うように構成された少なくとも１つのプロセッサと、少なくとも１つのプロセッサに結合されたメモリとを含む。
【００１１】
[0011]本開示のいくつかの態様は、命令を記憶したコンピュータ可読媒体を備える、基地局によるワイヤレス通信のためのコンピュータプログラム製品を提供する。命令は、概して、１つまたは複数の基準に基づいて、基地局と基地局によってサービスされるユーザ機器（ＵＥ）との間の送信を中継するために使用される半二重中継ノードへの送信のために、物理ダウンリンク制御チャネル（ＰＤＣＣＨ）の第１のタイプまたはＰＤＣＣＨの第２のタイプを選択することと、サブフレーム中で選択されたタイプのＰＤＣＣＨを半二重中継ノードに送信することとを行うための１つまたは複数のプロセッサによって実行可能である。
【００１２】
[0012]本開示のいくつかの態様は、命令を記憶したコンピュータ可読媒体を備える、中継ノードによるワイヤレス通信のためのコンピュータプログラム製品を提供する。命令は、概して、基地局と基地局によってサービスされるユーザ機器（ＵＥ）との間の送信を中継するために中継ノードを使用する基地局から送信される物理ダウンリンク制御チャネル（ＰＤＣＣＨ）の第１のタイプをモニタすべきかＰＤＣＣＨの第２のタイプをモニタすべきかを決定することと、サブフレーム中で決定されたタイプのＰＤＣＣＨをモニタすることとを行うための１つまたは複数のプロセッサによって実行可能である。
【図面の簡単な説明】
【００１３】
【図１】[0013]本開示のいくつかの態様による、電気通信システムの一例を概念的に示すブロック図。
【図２】[0014]本開示のいくつかの態様による、電気通信システムにおけるダウンリンクフレーム構造の一例を概念的に示すブロック図。
【図３】[0015]本開示の一態様に従って構成された基地局／ｅノードＢおよびＵＥの設計を概念的に示すブロック図。
【図４Ａ】[0016]  本開示の態様による、連続キャリアアグリゲーションタイプを示す図。
【図４Ｂ】[0017]本開示の態様による、非連続キャリアアグリゲーションタイプを示す図。
【図５】[0018]本開示の態様による、ＭＡＣレイヤデータアグリゲーションを示す図。
【図６】[0019]本開示の態様による、複数のキャリア構成において無線リンクを制御するための方法を示すブロック図。
【図７】[0020]本開示の態様による、ｅＰＤＣＣＨの送信のための可能な構造を示す図。
【図８】[0021]本開示の態様による、ｅＰＤＣＣＨの送信のための可能な構造を示す図。
【図９】[0022]本開示の様々な態様による、例示的な動作を示す図。
【図１０】本開示の様々な態様による、例示的な動作を示す図。
【発明を実施するための形態】
【００１４】
[0023]添付の図面に関して以下に記載される詳細な説明は、様々な構成を説明するものであり、本明細書で説明される概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００１５】
[0024]本明細書で説明する技法は、ＣＤＭＡ、ＴＤＭＡ、ＦＤＭＡ、ＯＦＤＭＡ、ＳＣ−ＦＤＭＡおよび他のネットワークなど、様々なワイヤレス通信ネットワークのために使用され得る。「ネットワーク」および「システム」という用語はしばしば互換的に使用される。ＣＤＭＡネットワークは、ユニバーサル地上波無線アクセス（ＵＴＲＡ：Universal Terrestrial Radio Access）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標）：Global System for Mobile Communications）などの無線技術を実装し得る。ＯＦＤＭＡネットワークは、発展型ＵＴＲＡ（Ｅ−ＵＴＲＡ：Evolved UTRA）、ウルトラモバイルブロードバンド（ＵＭＢ：Ultra Mobile Broadband）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭＡなどの無線技術を実装し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ：Long Term Evolution）およびＬＴＥアドバンスト（ＬＴＥ−Ａ：LTE-Advanced）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ｃｄｍａ２０００およびＵＭＢは、「第３世代パートナーシッププロジェクト２」（３ＧＰＰ２：3rd Generation Partnership Project 2）と称する団体からの文書に記載されている。本明細書で説明する技法は、上記のワイヤレスネットワークおよび無線技術、ならびに他のワイヤレスネットワークおよび無線技術に使用され得る。明快のために、本技法のいくつかの態様について以下ではＬＴＥに関して説明し、以下の説明の大部分でＬＴＥ用語を使用する。
【００１６】
[0025]図１に、ＬＴＥネットワークであり得るワイヤレス通信ネットワーク１００を示す。ワイヤレスネットワーク１００は、いくつかの発展型ノードＢ（ｅノードＢ）１１０と他のネットワークエンティティとを含み得る。ｅノードＢは、ＵＥ１２０と通信する局であり得、基地局、アクセスポイントなどと呼ばれることもある。ノードＢは、ＵＥと通信する局の別の例である。
【００１７】
[0026]各ｅノードＢ１１０は、特定の地理的エリアに通信カバレージを提供し得る。３ＧＰＰでは、「セル」という用語は、この用語が使用されるコンテキストに応じて、ｅノードＢ１１０のカバレージエリアおよび／またはこのカバレージエリアをサービスしているｅノードＢサブシステムを指すことがある。
【００１８】
[0027]ｅノードＢは、マクロセル１０２ａ、１０２ｂ、１０２ｃ、ピコセル１０２ｘ、フェムトセル１０２ｙ、１０２ｚ、および／または他のタイプのセルに通信カバレージを与え得る。マクロセル１０２ａは、比較的大きい地理的エリア（たとえば、半径数キロメートル）をカバーし得、サービスに加入しているＵＥ１２０による無制限のアクセスを可能にし得る。ピコセル１０２ｘは、比較的小さい地理的エリアをカバーすることができ、サービスに加入しているＵＥ１２０による無制限のアクセスを可能にし得る。フェムトセル１０２ｙ、１０２ｚは、比較的小さい地理的エリア（たとえば、自宅）をカバーし得、フェムトセル１０２ｙ、１０２ｚとの関連を有するＵＥ１２０（たとえば、限定加入者グループ（ＣＳＧ：Closed Subscriber Group）中のＵＥ、自宅にいるユーザのためのＵＥなど）による制限付きアクセスを可能にし得る。マクロセルのためのｅノードＢはマクロｅノードＢと呼ばれることがある。ピコセルのためのｅノードＢはピコｅノードＢと呼ばれることがある。フェムトセルのためのｅノードＢはフェムトｅノードＢまたはホームｅノードＢと呼ばれることがある。図１に示す例では、ｅノードＢ１１０ａ、１１０ｂおよび１１０ｃは、それぞれマクロセル１０２ａ、１０２ｂ、および１０２ｃのためのマクロｅノードＢであり得る。ｅノードＢ１１０ｘは、ピコセル１０２ｘのためのピコｅノードＢであり得る。ｅノードＢ１１０ｙおよび１１０ｚは、それぞれフェムトセル１０２ｙおよび１０２ｚのためのフェムトｅノードＢであり得る。ｅノードＢは、１つまたは複数の（たとえば、３つの）セルをサポートし得る。
【００１９】
[0028]ワイヤレスネットワーク１００はまた、中継局を含み得る。中継局は、上流局（たとえば、ｅノードＢまたはＵＥ）からデータおよび／または他の情報の送信を受信し、そのデータおよび／または他の情報の送信を下流局（たとえば、ＵＥまたはｅノードＢ）に送る局である。中継局はまた、他のＵＥに対する送信を中継するＵＥであり得る。図１に示す例では、中継局１１０ｒは、ｅノードＢ１１０ａとＵＥ１２０ｒとの間の通信を可能にするために、ｅノードＢ１１０ａおよびＵＥ１２０ｒと通信し得る。中継局は、中継ｅノードＢ、中継器などと呼ばれることもある。
【００２０】
[0029]ワイヤレスネットワーク１００は、異なるタイプのｅノードＢ、たとえば、マクロｅノードＢ、ピコｅノードＢ、フェムトｅノードＢ、中継器などを含む異種ネットワークであり得る。これらの異なるタイプのｅノードＢは、異なる送信電力レベル、異なるカバレージエリア、およびワイヤレスネットワーク１００における干渉に対する異なる影響を有し得る。たとえば、マクロｅノードＢは、高い送信電力レベル（たとえば、２０ワット）を有し得るが、ピコｅノードＢ、フェムトｅノードＢおよび中継器は、より低い送信電力レベル（たとえば、１ワット）を有し得る。
【００２１】
[0030]ワイヤレスネットワーク１００は同期動作または非同期動作をサポートし得る。同期動作の場合、ｅノードＢは同様のフレームタイミングを有し得、異なるｅノードＢからの送信は近似的に時間的に整合され得る。非同期動作の場合、ｅノードＢは異なるフレームタイミングを有し得、異なるｅノードＢからの送信は時間的に整合されないことがある。本明細書で説明する技法は、同期動作と非同期動作の両方のために使用され得る。
【００２２】
[0031]ネットワークコントローラ１３０は、ｅノードＢ１１０のセットに結合し、これらのｅノードＢの協調および制御を行い得る。ネットワークコントローラ１３０は、バックホールを介してｅノードＢ１１０と通信し得る。ｅノードＢ１１０はまた、たとえば、ワイヤレスバックホールまたはワイヤラインバックホールを介して直接または間接的に互いに通信し得る。
【００２３】
[0032]ＵＥ１２０は、ワイヤレスネットワーク１００全体にわたって分散され得、各ＵＥは固定または移動であり得る。ＵＥは、端末、移動局、加入者ユニット、局などと呼ばれることもある。ＵＥは、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局などであり得る。ＵＥは、マクロｅノードＢ、ピコｅノードＢ、フェムトｅノードＢ、中継器などと通信することが可能であり得る。図１において、両矢印付きの実線は、ダウンリンクおよび／またはアップリンク上での、ＵＥと、そのＵＥをサービスするように指定されたｅノードＢであるサービングｅノードＢとの間の所望の送信を示す。両矢印付きの破線は、ＵＥとｅノードＢとの間の干渉送信を示す。
【００２４】
[0033]ＬＴＥは、ダウンリンク上では直交周波数分割多重化（ＯＦＤＭ）を利用し、アップリンク上ではシングルキャリア周波数分割多重化（ＳＣ−ＦＤＭ）を利用する。ＯＦＤＭおよびＳＣ−ＦＤＭは、システム帯域幅を、一般にトーン、ビンなどとも呼ばれる複数（Ｋ）個の直交サブキャリアに分割する。各サブキャリアはデータで変調され得る。概して、変調シンボルは、ＯＦＤＭでは周波数領域で、ＳＣ−ＦＤＭＡでは時間領域で送られる。隣接するサブキャリア間の間隔は固定であり得、サブキャリアの総数（Ｋ）はシステム帯域幅に依存し得る。たとえば、サブキャリアの間隔は１５ｋＨｚであり得、（「リソースブロック」と呼ばれる）最小リソース割振りは１２個のサブキャリア（または１８０ｋＨｚ）であり得る。したがって、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅はまた、サブバンドに区分され得る。たとえば、サブバンドは１．０８ＭＨｚ（すなわち、６つのリソースブロック）をカバーし得、１．２５、２．５、５、１０、または２０ＭＨｚのシステム帯域幅に対してそれぞれ１、２、４、８、または１６個のサブバンドがあり得る。
【００２５】
[0034]図２に、ＬＴＥにおいて使用されるダウンリンクフレーム構造２００を示す。ダウンリンクの送信タイムラインは、無線フレーム２０２の単位に分割され得る。各無線フレームは、所定の持続時間（たとえば、１０ミリ秒（ｍｓ））を有し得、０〜９のインデックスをもつ１０個のサブフレーム２０４に区分され得る。各サブフレームは２つのスロットを含み得る。したがって、各無線フレームは、０〜１９のインデックスをもつ２０個のスロットを含み得る。各スロットは、Ｌ個のシンボル期間、たとえば、（図２に示すように）ノーマルサイクリックプレフィックスの場合は７つのシンボル期間、または拡張サイクリックプレフィックスの場合は６個のシンボル期間を含み得る。各サブフレーム中の２Ｌ個のシンボル期間には０〜２Ｌ−１のインデックスが割り当てられ得る。利用可能な時間周波数リソースはリソースブロックに区分され得る。各リソースブロックは、１つのスロット中でＮ個のサブキャリア（たとえば、１２個のサブキャリア）をカバーし得る。
【００２６】
[0035]ＬＴＥでは、ｅノードＢは、ｅノードＢ中の各セルについてプライマリ同期信号（ＰＳＳ：primary synchronization signal）とセカンダリ同期信号（ＳＳＳ：secondary synchronization signal）とを送り得る。プライマリ同期信号およびセカンダリ同期信号は、図２に示すように、それぞれ、ノーマルサイクリックプレフィックスをもつ各無線フレームのサブフレーム０および５の各々中のシンボル期間６および５中で送られ得る。同期信号は、セル検出および捕捉のためにＵＥによって使用され得る。ｅノードＢは、サブフレーム０のスロット１中のシンボル期間０〜３中で物理ブロードキャストチャネル（ＰＢＣＨ：Physical Broadcast Channel）を送り得る。ＰＢＣＨは、あるシステム情報を搬送し得る。
【００２７】
[0036]ｅノードＢは、図２の第１のシンボル期間全体において示されているが、各サブフレームの第１のシンボル期間の一部のみの中で物理制御フォーマットインジケータチャネル（ＰＣＦＩＣＨ：Physical Control Format Indicator Channel）を送り得る。ＰＣＦＩＣＨは、制御チャネルのために使用されるいくつか（Ｍ個）のシンボル期間を搬送し得、ただし、Ｍは、１、２または３に等しくなり得、サブフレームごとに変化し得る。Ｍはまた、たとえば、リソースブロックが１０個未満である、小さいシステム帯域幅では４に等しくなり得る。図２に示す例では、Ｍ＝３である。ｅノードＢは、各サブフレームの最初のＭ個（図２ではＭ＝３）のシンボル期間中に物理ＨＡＲＱインジケータチャネル（ＰＨＩＣＨ：Physical HARQ Indicator Channel）と物理ダウンリンク制御チャネル（ＰＤＣＣＨ）とを送り得る。ＰＨＩＣＨは、ハイブリッド自動再送信（ＨＡＲＱ：hybrid automatic retransmission）をサポートするための情報を搬送し得る。ＰＤＣＣＨは、ＵＥのためのアップリンクおよびダウンリンクリソース割振りに関する情報と、アップリンクチャネルのための電力制御情報とを搬送し得る。図２の第１のシンボル期間の中には示されていないが、ＰＤＣＣＨおよびＰＨＩＣＨは第１のシンボル期間の中にも含まれることを理解されたい。同様に、ＰＨＩＣＨおよびＰＤＣＣＨはまた、図２にはそのようには示されていないが、第２のシンボル期間と第３のシンボル期間の両方の中にある。ｅノードＢは、各サブフレームの残りのシンボル期間中に物理ダウンリンク共有チャネル（ＰＤＳＣＨ：Physical Downlink Shared Channel）を送り得る。ＰＤＳＣＨは、ダウンリンク上でのデータ送信がスケジュールされたＵＥのためのデータを搬送し得る。ＬＴＥにおける様々な信号およびチャネルは、公開されている「Evolved Universal Terrestrial Radio Access (E-UTRA); Physical Channels and Modulation」と題する３ＧＰＰ  ＴＳ  ３６．２１１に記載されている。
【００２８】
[0037]ｅノードＢは、ｅノードＢによって使用されるシステム帯域幅の中心１．０８ＭＨｚにおいてＰＳＳ、ＳＳＳおよびＰＢＣＨを送り得る。ｅノードＢは、これらのチャネルが送られる各シンボル期間中のシステム帯域幅全体にわたってＰＣＦＩＣＨおよびＰＨＩＣＨを送り得る。ｅノードＢは、システム帯域幅のいくつかの部分においてＵＥのグループにＰＤＣＣＨを送り得る。ｅノードＢは、システム帯域幅の特定の部分において特定のＵＥにＰＤＳＣＨを送り得る。ｅノードＢは、すべてのＵＥにブロードキャスト方式でＰＳＳ、ＳＳＳ、ＰＢＣＨ、ＰＣＦＩＣＨおよびＰＨＩＣＨを送り得、特定のＵＥにユニキャスト方式でＰＤＣＣＨを送り得、また特定のＵＥにユニキャスト方式でＰＤＳＣＨを送り得る。
【００２９】
[0038]各シンボル期間においていくつかのリソース要素が利用可能であり得る。各リソース要素は、１つのシンボル期間中の１つのサブキャリアをカバーし得、実数値または複素数値であり得る１つの変調シンボルを送るために使用され得る。各シンボル期間中に基準信号のために使用されないリソース要素は、リソース要素グループ（ＲＥＧ：resource element group）に構成され得る。各ＲＥＧは、１つのシンボル期間中に４つのリソース要素を含み得る。ＰＣＦＩＣＨは、シンボル期間０において、周波数上でほぼ等しく離間され得る、４つのＲＥＧを占有し得る。ＰＨＩＣＨは、１つまたは複数の構成可能なシンボル期間において、周波数にわたって拡散され得る、３つのＲＥＧを占有し得る。たとえば、ＰＨＩＣＨのための３つのＲＥＧは、すべてシンボル期間０に属し得るか、またはシンボル期間０、１および２に拡散され得る。ＰＤＣＣＨは、最初のＭ個のシンボル期間において、利用可能なＲＥＧから選択され得る、９、１８、３２または６４個のＲＥＧを占有し得る。ＲＥＧのいくつかの組合せのみがＰＤＣＣＨに対して許され得る。
【００３０】
[0039]ＵＥは、ＰＨＩＣＨおよびＰＣＦＩＣＨのために使用される特定のＲＥＧを知り得る。ＵＥは、ＰＤＣＣＨのためのＲＥＧの様々な組合せを探索し得る。探索すべき組合せの数は、一般に、ＰＤＣＣＨに対して許される組合せの数よりも少ない。ｅノードＢは、ＵＥが探索することになる組合せのいずれかにおいてＵＥにＰＤＣＣＨを送り得る。
【００３１】
[0040]ＵＥは、複数のｅノードＢのカバレージ内にあり得る。そのＵＥをサービスするために、これらのｅノードＢのうちの１つが選択され得る。サービングｅノードＢは、受信電力、パスロス、信号対雑音比（ＳＮＲ）など、様々な基準に基づいて選択され得る。
【００３２】
[0041]図３に、図１の基地局／ｅノードＢのうちの１つおよびＵＥのうちの１つであり得る、基地局／ｅノードＢ１１０およびＵＥ１２０の設計を示すブロック図３００を示す。制限付き関連付けシナリオの場合、基地局１１０は図１のマクロｅノードＢ１１０ｃであり得、ＵＥ１２０はＵＥ１２０ｙであり得る。基地局１１０はまた、何らかの他のタイプの基地局であり得る。基地局１１０はアンテナ３３４ａ〜３３４ｔを備え得、ＵＥ１２０はアンテナ３５２ａ〜３５２ｒを備え得る。
【００３３】
[0042]基地局１１０において、送信プロセッサ３２０は、データソース３１２からデータを受信し、コントローラ／プロセッサ３４０から制御情報を受信し得る。制御情報は、ＰＢＣＨ、ＰＣＦＩＣＨ、ＰＨＩＣＨ、ＰＤＣＣＨなどのためのものであり得る。データは、ＰＤＳＣＨなどのためのものであり得る。プロセッサ３２０は、データと制御情報とを処理（たとえば、符号化およびシンボルマッピング）して、それぞれデータシンボルと制御シンボルとを取得し得る。プロセッサ３２０はまた、たとえば、ＰＳＳ、ＳＳＳ、およびセル固有基準信号のための基準シンボルを生成し得る。送信（ＴＸ）多入力多出力（ＭＩＭＯ）プロセッサ３３０は、適用可能な場合、データシンボル、制御シンボル、および／または基準シンボルに対して空間処理（たとえば、プリコーディング）を実行し得、出力シンボルストリームを変調器（ＭＯＤ）３３２ａ〜３３２ｔに与え得る。各変調器３３２は、（たとえば、ＯＦＤＭなどのための）それぞれの出力シンボルストリームを処理して、出力サンプルストリームを取得し得る。各変調器３３２はさらに、出力サンプルストリームを処理（たとえば、アナログへの変換、増幅、フィルタ処理、およびアップコンバート）して、ダウンリンク信号を取得し得る。変調器３３２ａ〜３３２ｔからのダウンリンク信号は、それぞれアンテナ３３４ａ〜３３４ｔを介して送信され得る。
【００３４】
[0043]ＵＥ１２０において、アンテナ３５２ａ〜３５２ｒは、基地局１１０からダウンリンク信号を受信し得、受信信号をそれぞれ復調器（ＤＥＭＯＤ）３５４ａ〜３５４ｒに与え得る。各復調器３５４は、それぞれの受信信号を調整（たとえば、フィルタ処理、増幅、ダウンコンバート、およびデジタル化）して、入力サンプルを取得し得る。各復調器３５４は、（たとえば、ＯＦＤＭなどのために）入力サンプルをさらに処理して、受信シンボルを取得し得る。ＭＩＭＯ検出器３５６は、すべての復調器３５４ａ〜３５４ｒから受信シンボルを取得し、適用可能な場合は受信シンボルに対してＭＩＭＯ検出を実行し、検出シンボルを与え得る。受信プロセッサ３５８は、検出シンボルを処理（たとえば、復調、デインターリーブ、および復号）し、ＵＥ１２０の復号されたデータをデータシンク３６０に与え、復号された制御情報をコントローラ／プロセッサ３８０に与え得る。
【００３５】
[0044]アップリンク上では、ＵＥ１２０において、送信プロセッサ３６４は、データソース３６２から（たとえば、ＰＵＳＣＨのための）データを受信し、処理し得、コントローラ／プロセッサ３８０から（たとえば、ＰＵＣＣＨのための）制御情報を受信し、処理し得る。送信プロセッサ３６４はまた、基準信号のための基準シンボルを生成し得る。送信プロセッサ３６４からのシンボルは、適用可能な場合はＴＸ  ＭＩＭＯプロセッサ３６６によってプリコードされ、さらに（たとえば、ＳＣ−ＦＤＭなどのために）復調器３５４ａ〜３５４ｒによって処理され、基地局１１０に送信され得る。基地局１１０において、ＵＥ１２０からのアップリンク信号は、アンテナ３３４によって受信され、変調器３３２によって処理され、適用可能な場合、ＭＩＭＯ検出器３３６によって検出され、さらに受信プロセッサ３３８によって処理されて、ＵＥ１２０によって送られた復号されたデータおよび制御情報が取得され得る。受信プロセッサ３３８は、復号されたデータをデータシンク３３９に与え、復号された制御情報をコントローラ／プロセッサ３４０に与え得る。
【００３６】
[0045]コントローラ／プロセッサ３４０および３８０は、それぞれ基地局１１０およびＵＥ１２０における動作を指示し得る。基地局１１０におけるプロセッサ３４０および／または他のプロセッサおよびモジュールは、本明細書で説明する技法のための様々なプロセスを実行するか、またはその実行を指示し得る。ＵＥ１２０におけるプロセッサ３８０ならびに／または他のプロセッサおよびモジュールはまた、図９〜図１１に示す機能ブロック、および／または本明細書で説明する技法のための他のプロセスを実行するか、またはその実行を指示し得る。メモリ３４２および３８２は、それぞれ基地局１１０およびＵＥ１２０のためのデータおよびプログラムコードを記憶し得る。スケジューラ３４４は、ダウンリンク上および／またはアップリンク上でのデータ送信のためにＵＥをスケジュールし得る。
【００３７】
[0046]一構成では、ワイヤレス通信のためのＵＥ１２０は、ＵＥの接続モード中に干渉基地局からの干渉を検出するための手段と、干渉基地局の得られたリソースを選択するための手段と、得られたリソース上の物理ダウンリンク制御チャネルの誤り率を取得するための手段と、誤り率が所定のレベルを超えたことに応答して実行可能である、無線リンク障害を宣言するための手段とを含む。一態様では、上述の手段は、上述の手段によって具陳される機能を実行するように構成された、（１つまたは複数の）プロセッサ、コントローラ／プロセッサ３８０、メモリ３８２、受信プロセッサ３５８、ＭＩＭＯ検出器３５６、復調器３５４ａ、およびアンテナ３５２ａであり得る。別の態様では、上述の手段は、上述の手段によって具陳される機能を実行するように構成されたモジュールまたは任意の装置であり得る。
【００３８】
キャリアアグリゲーション    
[0047]ＬＴＥアドバンストＵＥは、各方向において送信のために、最高合計１００ＭＨｚ（５つのコンポーネントキャリア）のキャリアアグリゲーションにおいて割り振られた最高２０ＭＨｚの帯域幅のスペクトルを使用する。概して、アップリンク上ではダウンリンクよりも少ないトラフィックが送信され、したがって、アップリンクスペクトル割振りはダウンリンク割振りよりも小さくなり得る。たとえば、アップリンクに２０ＭＨｚが割り当てられた場合、ダウンリンクには１００ＭＨｚが割り当てられ得る。これらの非対称ＦＤＤ割当ては、スペクトルを節約し、ブロードバンド加入者による一般に非対称な帯域利用にぴったり合う。
【００３９】
[0048]ＬＴＥアドバンスト要件を満たすために、２０ＭＨｚよりも広い送信帯域幅のサポートが必要とされ得る。１つの解決策はキャリアアグリゲーションである。キャリアアグリゲーションは、複数のキャリアにわたる無線リソースの同時利用を通して、ＵＥ１２０に与えられる有効帯域幅の拡張を可能にする。より広い全送信帯域幅を形成するために、複数のコンポーネントキャリアがアグリゲートされる。
【００４０】
キャリアアグリゲーションタイプ    
[0049]ＬＴＥアドバンストモバイルシステムのために、２つのタイプのキャリアアグリゲーション（ＣＡ）方法、すなわち、図４Ａおよび図４Ｂに示す連続ＣＡおよび非連続ＣＡが提案されている。
【００４１】
[0050]図４Ａに、本開示の態様による、連続ＣＡ４００Ａの一例を示す。連続ＣＡは、図４Ａに示すように、複数の利用可能なコンポーネントキャリア４０２Ａ、４０４Ａ、および４０６Ａが互いに隣接するときに生じる。
【００４２】
[0051]図４Ｂに、本開示の態様による、非連続ＣＡ４００Ｂの一例を示す。非連続ＣＡは、図４Ｂに示すように、複数の利用可能なコンポーネントキャリア４０２Ｂ、４０４Ｂ、および４０６Ｂが周波数帯に沿って分離されたときに生じる。非連続ＣＡと連続ＣＡの両方は、ＬＴＥアドバンストＵＥの単一ユニットを処理するために複数のＬＴＥ／コンポーネントキャリアをアグリゲートする。
【００４３】
[0052]ＬＴＥアドバンストＵＥにおける非連続ＣＡでは、周波数帯域に沿ってキャリアが分離されるので、複数のＲＦ受信ユニットと複数のＦＦＴとが配備され得る。非連続ＣＡは、大きい周波数範囲にわたる複数の分離されたキャリア上でのデータ送信をサポートするので、周波数帯域が異なると、伝搬パスロス、ドップラーシフトおよび他の無線チャネル特性が大いに変わり得る。
【００４４】
[0053]したがって、非連続ＣＡ手法の下でブロードバンドデータ送信をサポートするために、異なるコンポーネントキャリアのためのコーディング、変調、および送信電力を適応的に調整するための方法が使用され得る。たとえば、ｅノードＢが各コンポーネントキャリア上に固定送信電力を有するＬＴＥアドバンストシステムでは、各コンポーネントキャリアの有効カバレージまたはサポート可能な変調およびコーディングは異なり得る。
【００４５】
データアグリゲーション方式    
[0054]図５に、本開示の態様による、国際モバイル電気通信（ＩＭＴ：International Mobile Telecommunications）アドバンスト（IMT-Advanced）システムのために媒体アクセス制御（ＭＡＣ）レイヤにおいて異なるコンポーネントキャリアからの送信ブロック（ＴＢ：transmission block）５００をアグリゲートすることを示す。ＭＡＣレイヤデータアグリゲーションでは、各コンポーネントキャリアは、ＭＡＣレイヤ中にそれ自体の独立したハイブリッド自動再送要求（ＨＡＲＱ：hybrid automatic repeat request）エンティティを有し、物理レイヤ中にそれ自体の送信構成パラメータ（たとえば、送信電力、変調およびコーディング方式、ならびに複数のアンテナ構成）を有する。同様に、物理レイヤでは、コンポーネントキャリアごとに１つのＨＡＲＱエンティティが与えられる。
【００４６】
制御シグナリング    
[0055]概して、複数のコンポーネントキャリアのために制御チャネルシグナリングを展開するための３つの異なる手法がある。
【００４７】
[0056]第１は、ＬＴＥシステムにおける制御構造の軽微な変更を伴い、各コンポーネントキャリアは、それ自体のコード化制御チャネルを与えられる。
【００４８】
[0057]第２の方法は、異なるコンポーネントキャリアの制御チャネルをジョイントコーディングし、専用のコンポーネントキャリア中に制御チャネルを展開することを伴う。複数のコンポーネントキャリアのための制御情報は、この専用制御チャネルでは、シグナリングコンテンツとして統合されることになる。その結果、ＬＴＥシステムにおける制御チャネル構造との後方互換性が維持されながら、ＣＡのシグナリングオーバーヘッドが低減する。
【００４９】
[0058]第３の方法は、異なるコンポーネントキャリアのための複数の制御チャネルをジョイントコーディングし、次いで全体周波数帯域にわたって送信することを伴う。この手法は、ＵＥ側における高い電力消費量という犠牲を払って、制御チャネルにおける低いシグナリングオーバーヘッドと高い復号性能とを提供する。ただし、この方法はＬＴＥシステムと互換性がない。
【００５０】
ハンドオーバ制御    
[0059]ハンドオーバは、ＵＥ１２０が、第１のｅノードＢ１１０によってカバーされる１つのセル１０２から第２のｅノードＢによってカバーされる別のセル１０２に移動するときに生じる。ＩＭＴアドバンストＵＥのためにＣＡが使用されるとき、複数のセルにわたるハンドオーバプロシージャ中に送信連続性をサポートすることが好ましい。しかしながら、特定のＣＡ構成およびサービス品質（ＱｏＳ）要件とともに、入来ＵＥのために十分なシステムリソース（すなわち、良好な送信品質をもつコンポーネントキャリア）を確保することが、次のｅノードＢにとって難しいことがある。理由は、２つ（またはそれ以上）の隣接セル（ｅノードＢ）のチャネル状態が特定のＵＥについて異なり得るからである。１つの手法では、ＵＥは、各隣接セルにおいてただ１つのコンポーネントキャリアのパフォーマンスを測定する。これは、ＬＴＥシステムにおけるのと同様の測定遅延、複雑さ、およびエネルギー消費を与える。対応するセルにおける他のコンポーネントキャリアのパフォーマンスの推定は、この１つのコンポーネントキャリアの測定結果に基づき得る。この推定に基づいて、ハンドオーバ判定および送信構成が決定され得る。
【００５１】
[0060]様々な実施形態によれば、（キャリアアグリゲーションとも呼ばれる）マルチキャリアシステムにおいて動作するＵＥは、「プライマリキャリア」と呼ばれることがある同じキャリア上で、制御機能およびフィードバック機能など、複数のキャリアのいくつかの機能をアグリゲートするように構成される。サポートのためにプライマリキャリアに依存する残りのキャリアは、関連するセカンダリキャリアと呼ばれる。たとえば、ＵＥは、オプションの専用チャネル（ＤＣＨ：dedicated channel）、スケジュールされない許可、物理アップリンク制御チャネル（ＰＵＣＣＨ：physical uplink control channel）、および／または物理ダウンリンク制御チャネル（ＰＤＣＣＨ）によって提供される制御機能などの制御機能をアグリゲートし得る。シグナリングおよびペイロードは、ダウンリンク上でｅノードＢによってＵＥに、ならびにアップリンク上でＵＥによってｅノードＢに送信され得る。
【００５２】
[0061]いくつかの実施形態では、複数のプライマリキャリアが存在し得る。さらに、ＬＴＥ  ＲＲＣプロトコルの３ＧＰＰ技術仕様３６．３３１におけるものなど、レイヤ２プロシージャである物理チャネル確立および無線リンク障害（ＲＬＦ：radio link failure）プロシージャを含む、ＵＥの基本動作に影響を及ぼすことなしに、セカンダリキャリアが追加または削除され得る。
【００５３】
[0062]図６に、一例による、物理チャネルをグループ化することによって複数キャリアワイヤレス通信システムにおいて無線リンクを制御するための方法６００を示す。図示のように、本方法は、ブロック６０２において、プライマリキャリアと、１つまたは複数の関連するセカンダリキャリアとを形成するために、少なくとも２つのキャリアからの制御機能を１つのキャリア上にアグリゲートすることを含む。次にブロック６０４において、プライマリキャリアと各セカンダリキャリアとのための通信リンクを確立する。次いで、ブロック６０６において、プライマリキャリアに基づいて通信を制御する。
【００５４】
探索空間    
[0063]ロングタームエボリューション（ＬＴＥ）リリース８では、各ユーザ機器（ＵＥ）は、制御領域中の共通探索空間とＵＥ固有探索空間の両方をモニタし得る。探索空間は、ＵＥがそれのＰＤＣＣＨを発見し得るチャネル制御要素（ＣＣＥ）ロケーションのセットを備え得る。各ＰＤＣＣＨを送信するために１つまたは複数のＣＣＥが使用される。すべてのＵＥが共通探索空間に気づいているが、専用探索空間は個別のＵＥのために構成される。サブフレーム中でＵＥが復号しようと試み得るＰＤＣＣＨ候補の最大数が表１に記載されている。ＰＤＣＣＨ候補は、いくつかのＣＣＥを使用して送信される。リソース要素グループ（ＲＥＧ）として知られる４つの物理リソース要素（ＲＥ：resource element）の９つのセットが各ＣＣＥを構成する。したがって、１つのＣＣＥは３６個のＲＥに等しい。各探索空間は、制御チャネル送信の異なる保護のためにＰＤＣＣＨアグリゲーションレベルにさらに分類される。ＰＤＣＣＨのために使用されるＣＣＥの数は、１、２、４、または８であり得る。各探索空間は、ＰＤＣＣＨ候補と呼ばれるＰＤＣＣＨに割り振られ得る連続するＣＣＥのグループを備える。アグリゲーションレベルごとに、各ＵＥは、２つ以上の可能な候補を復号することを試みなければならない。ＣＣＥアグリゲーションレベルは、探索空間中のＰＤＣＣＨ候補の数を決定し、ＰＤＣＣＨフォーマットによって与えられる。表１は、アグリゲーションレベルごとの候補の数と探索空間のサイズとを与える。
【表１】
2015535663.tif 000003
【００５５】
[0064]表１において、共通探索空間中に最高６つ（すなわち、制御チャネル要素（ＣＣＥ：control channel element）アグリゲーションレベル４のための４つ、およびアグリゲーションレベル８のための２つ）のＰＤＣＣＨ候補があり、ＵＥ固有探索空間中に最高１６個（すなわち、アグリゲーションレベル１のための６つ、アグリゲーションレベル２のための６つ、アグリゲーションレベル４のための２つ、およびアグリゲーションレベル８のための２つ）の候補があり得ることが観測され得る。表１から、複数のＰＤＣＣＨ候補の各ＰＤＣＣＨ候補内で探索されるべきＣＣＥの数はアグリゲーションレベルに依存し得ることが観測され得る。したがって、どちらもサイズが１６個のＣＣＥであるが、共通アグリゲーションレベル４のための４つのＰＤＣＣＨ候補と共通アグリゲーションレベル８のための２つのＰＤＣＣＨ候補とがある。それのＰＤＣＣＨを発見するために、ＵＥは、あらゆるサブフレーム中でＰＤＣＣＨ候補のセットをモニタする。Ｒｅｌ−８では、各候補は、最高２つのダウンリンク制御情報（ＤＣＩ：downlink control information）サイズを搬送し得る。その結果、ＵＥのブラインド復号の総数は、任意のサブフレームにおいて最高（４＋２）＊２＋（６＋６＋２＋２）＊２＝４４である。Ｒｅｌ−１０では、ＵＬ  ＭＩＭＯの導入により、ＵＥ固有探索空間中で、各候補は最高３つのダウンリンク制御情報（ＤＣＩ）サイズを搬送し、任意のサブフレームにおいて最高（４＋２）＊２＋（６＋６＋２＋２）＊３＝６０のＵＥのブラインド復号の総数になり得る。共通とＵＥ固有との間の、および異なるアグリゲーションレベルのための探索空間は重複することがあることに留意されたい。この重複は、そのようなことが生じた場合、他のＵＥとの潜在的衝突によりＵＥをスケジュールすることの可能性を制限する。ＬＴＥ−Ａは、ＵＥが同時に複数のキャリアをモニタする機会を提供する。この場合、ブラインド復号の総数を、たとえば、シングルキャリア動作と比較して、依然として４４に（または限定はしないがより高く）制限することが望ましい。
【００５６】
[0065]拡張物理ダウンリンク制御チャネル（ｅＰＤＣＣＨ：enhanced physical downlink control channel）のための多くの動機が存在する。たとえば、ｅＰＤＣＣＨは、キャリアアグリゲーション（ＣＡ）拡張を与え、後方互換性がないことがあり得る新しいキャリアをサポートするのを助け、多地点協調（ＣｏＭＰ：coordinated multipoint）送信の制御チャネル容量制限を低減し、ＤＬ  ＭＩＭＯを向上させ得る。
【００５７】
[0066]本開示の態様によれば、ｅＰＤＣＣＨは、増加した制御チャネル容量と周波数領域セル間干渉協調（ＩＣＩＣ：Inter Cell Interference Coordination）とをサポートし得る。ｅＰＤＣＣＨは、制御チャネルリソースの改善された空間再利用を達成し得る。同様に、ｅＰＤＣＣＨは、ビームフォーミングおよび／またはダイバーシティをサポートし、新しいキャリアタイプ上およびマルチキャストブロードキャスト単一周波数ネットワーク（ＭＢＳＦＮ：Multicast-Broadcast Single Frequency Network）サブフレームにおいて動作し得、レガシーＵＥと同じキャリア上に共存し得る。ｅＰＤＣＣＨは、周波数選択的にスケジュールされ得、セル間干渉を緩和し得る。
【００５８】
[0067]図７に、本開示の態様による、ｅＰＤＣＣＨ７００の可能な構造を示す。後で詳しく述べるように、本明細書で提示する態様は、中継ＰＤＣＣＨ（Ｒ−ＰＤＣＣＨ：relay PDCCH）と同様の配置、ピュア周波数分割多重（ＦＤＭ）方式、時分割多重（ＴＤＭ）方式、Ｒ−ＰＤＣＣＨと同様の配置（たとえば、第１のスロット中にｅＰＤＣＣＨ  ＤＬ、第１のスロットまたは第２のスロットのいずれか中にｅＰＤＣＣＨ  ＵＬをもつＲ−ＰＤＣＣＨ様の方式）、およびハイブリッドＴＤＭおよびＦＤＭ方式を含むｅＰＤＣＣＨ配置のための様々な方式を提供する。
【００５９】
[0068]第１の代替７０２によれば、ｅＰＤＣＣＨはＲ−ＰＤＣＣＨの送信と同様に送信され得、ＤＬ許可が第１のスロット中で送信され得、ＵＬ許可が第２のスロット中で送信され得る。態様によれば、第２のスロットがアップリンク許可の送信のために使用されていない場合、第２のスロットはダウンリンクデータ送信のために使用され得る。
【００６０】
[0069]第２の代替７０４によれば、ｅＰＤＣＣＨは、ピュアＦＤＭ方式で送信され得、ＤＬ許可およびＵＬ許可はリソースブロック（ＲＢ：resource block）にわたる。図示のように、周波数領域中のリソースのセットが、第１のタイムスロットと第２のタイムスロットとを備える時間領域にわたるｅＰＤＣＣＨの送信のために割り振られる。いくつかの態様によれば、ＰＤＳＣＨで周波数領域において多重化されたＲＢのサブセットが、第１と第２のタイムスロットにわたるアップリンク許可とダウンリンク許可の両方を含むｅＰＤＣＣＨを送信するために割り振られる。
【００６１】
[0070]第３の代替７０６によれば、ｅＰＤＣＣＨは、ＴＤＭ方式に従って第１のスロット中で送信され得、ＤＬ許可およびＵＬ許可が第１のスロット中で送信される。図示のように、残りのＲＢが、ＰＤＳＣＨデータ送信を送信するために利用され得る。
【００６２】
[0071]第４の代替７０８によれば、ｅＰＤＣＣＨはＲ−ＰＤＣＣＨと同様の方法で送信され得、ＤＬ許可およびＵＬ許可が第１のスロット中で送信され得、ＵＬ許可が第２のスロット中で送信され得る。いくつかの態様によれば、ＤＬ許可が所与のＰＲＢペアの第１のＰＲＢにおいて送信された場合、ＵＬ許可は、ＰＲＢペアの第２のＰＲＢにおいて送信され得る。場合によっては、ＵＬ許可は、ＰＲＢペアの第１のＰＲＢまたは第２のＰＲＢのいずれかにおいて送信され得る。
【００６３】
[0072]第５の代替７１０によれば、ｅＰＤＣＣＨは、第１のスロット中のＤＬ許可のためにＴＤＭを使用し、第１および第２のスロットにわたるＵＬ許可のためにＦＤＭを使用して送信され得る。
【００６４】
中継器バックホールのための制御チャネル管理  
[0073]本開示の態様は、半二重動作を利用する中継器のための制御チャネルを管理するための技法を提供する。本明細書で説明する技法はまた、全二重（full-duplex）動作、半二重ＵＥ、および／または全二重ＵＥを利用する中継器に適用可能であり得る。いくつかの態様によれば、１つまたは複数の基準に基づいて、ＰＤＣＣＨのあるタイプが選択され得る。本明細書でより詳細に説明するように、たとえば、所与の中継ノードの処理能力についての決定された適合性、電力制限、チャネル状態、キャリアタイプ、共通（またはセル固有）基準信号の存在または不在、あるいは（たとえば、アップリンクタイミングアドバンスによって示される）中継ノードとドナー基地局との間の距離に基づいて、ＴＤＭベースのＰＤＣＣＨ送信が選択され得るか、またはＦＤＭベースのＰＤＣＣＨ送信が選択され得る。
【００６５】
[0074]いくつかのシステム、たとえば、ＬＴＥ  Ｒｅｌ−１０では、カバレージおよび／または容量拡張を拡大するために、中継ノードが導入された。上記で説明したように、中継ノードは、バックホールリンク上でドナー基地局（ｅノードＢまたはｅＮＢ）と通信し、アクセスリンク上で、ドナー基地局によってサービスされるＵＥに通信を中継し得る。概して、この作業項目によって追加された機能からの予想される影響はなく、（たとえば、プレリリース１０に従って動作する）すべてのレガシーＵＥは、中継セルによってサービスされ得ることが必要とされ得る。
【００６６】
[0075]全二重中継と半二重中継の両方がサポートされ得る。全二重動作は、空間干渉管理を介したアウトバンドおよびインバンドを介して実現され得、標準的な影響がないことがある。一方、半二重動作は、標準化されたソリューションを必要とし得る。
【００６７】
[0076]半二重中継の場合、ＤＬ（またはＵＬ）サブフレームのセットは、（ドナーｅＮＢと中継ノードとの間の）バックホールリンクと（中継ノードと中継ノードによってサービスされるＵＥとの間の）アクセスリンクとの間でスプリットされる。
【００６８】
[0077]レガシーキャリアタイプの半二重中継は、それ自体によってレガシー制御チャネルを送信しなければならないので、ドナーｅＮＢによって送信されるレガシー制御チャネルを同時にモニタすることができない。この理由で、Ｒｅｌ−１０では、中継物理ダウンリンク制御チャネル（Ｒ−ＰＤＣＣＨ：Relay Physical Downlink Control Channel）が導入され得る。しかしながら、一般に、中継ＰＣＦＩＣＨ（Ｒ−ＰＣＦＩＣＨ）およびＲＰＨＩＣＨ制御チャネルはサポートされないことがある。共通基準信号（ＣＲＳ：common reference signal）ベースのＲ−ＰＤＣＣＨと復調基準信号（ＤＭ−ＲＳ：demodulation reference signal）ベースのＲ−ＰＤＣＣＨの両方がサポートされ得る。中継ノードは、Ｒ−ＰＤＣＣＨのためのＰＲＢのセットで半静的に構成され得る。周波数分散型（frequency distributed）Ｒ−ＰＤＣＣＨ配置と周波数局在型（frequency localized）Ｒ−ＰＤＣＣＨ配置の両方がサポートされ得る。
【００６９】
[0078]（異なる中継ノードのための）Ｒ−ＰＤＣＣＨインターリーブがサポートされ得る。ＣＲＳベースのＲ−ＰＤＣＣＨの場合、Ｒｅｌ−８タイプＲＥＧレベルインターリーブ（イントラＰＲＢインターリーブ）と、インターＰＲＢ専用インターリーブの両方がサポートされ得る。ＤＭ−ＲＳベースのＲ−ＰＤＣＣＨの場合、インターＰＲＢ専用インターリーブがサポートされ得、たとえば、１つのＰＲＢのみが、任意の時間に１つの中継ノードをサービスする。
【００７０】
[0079]Ｒ−ＰＤＣＣＨは、時分割多重化（ＴＤＭ）を使用して送信され得る。たとえば、レガシーＰＤＣＣＨと同様に、中継ノード（ＲＮ：relay node）が初期復号から依然として利益を得るために、ＤＬ許可が常にサブフレームの第１のスロット中で送信され得る（ＰＤＳＣＨ復号に進む前にサブフレームの終了の前に制御チャネル復号が行われ得る）。ＤＬ許可が所与のＰＲＢペアの第１のＰＲＢにおいて送信された場合、ＵＬ許可は、ＰＲＢペアの第２のＰＲＢにおいて送信され得る。
【００７１】
[0080]ＤＭ−ＲＳベースの送信では、ＰＲＢペアにおけるＤＬ許可およびＵＬ許可は、同じＲＮのためのものであることが必要とされ得る。そのような場合、必要条件は、そのようなＰＲＢペア中のＲＥが、異なるＲＮのために使用され得ないということであり得る。ＣＲＳベースの送信では、ＰＲＢペアにおけるＤＬ許可およびＵＬ許可は、同じまたは異なるＲＮのためのものであり得る。このようにして、ＵＬ許可とＤＬ許可との間の境界はスロット境界にあり得る。
【００７２】
[0081]Ｒ−ＰＤＣＣＨと中継器のための対応するＰＤＳＣＨ（または、便宜上、Ｒ−ＰＤＳＣＨ）とのための開始シンボルに対するいくつかの制約があり得る。たとえば、Ｒ−ＰＤＣＣＨはＯＦＤＭシンボルｓ１において開始し得る（シンボルインデックスは０から開始する）が、（Ｒ−）ＰＤＳＣＨは、Ｒ−ＰＤＣＣＨを含んでいいない（１つまたは複数の）ＰＲＢ中のＯＦＤＭシンボルｓ２において開始する。ｓ１は、たとえば、シンボル＃３に固定され得る。ｓ２は、範囲ｍ≦ｓ２≦３中で構成可能であり得る。ＲＮは、上位レイヤシグナリングを介してｓ２について通知され得る。
【００７３】
[0082]ＤＬバックホールタイミングに関して、２つの場合がサポートされ得る。一態様によれば、バックホールサブフレーム全体を十分に利用するために、ＲＮ  ＤＬアクセス送信時間は、ＲＮにおいてＤＬバックホール受信時間に関してわずかにオフセットされ得る。別の態様によれば、ＲＮは、（伝搬遅延とスイッチング時間とに応じて）ＯＦＤＭシンボルｍ≧ｋから開始し、ＯＦＤＭシンボルｎ＜１３までのＤＬバックホールサブフレームを受信し得る。ＲＮ  ＤＬ送信はｅＮＢ  ＤＬ送信と同期され得る。上記ＤＬバックホールタイミングの場合と同様に、複数のＵＬバックホールタイミングの場合がサポートされる。
【００７４】
[0083]上述したように、ＬＴＥ  Ｒｅｌ−８／９／１０では、「レガシー」ＰＤＣＣＨはサブフレーム中の第１のいくつかのシンボル中にあり、ＰＤＣＣＨは、システム帯域幅全体において完全に分散され、ＰＤＳＣＨで時分割多重化（ＴＤＭ）される。したがって、サブフレームは、制御領域とデータ領域とに効果的に分割される。
【００７５】
[0084]後のシステム（たとえば、Ｒｅｌ−１１システム）では、拡張ＰＤＣＣＨ（ｅＰＤＣＣＨ）など、新しい制御チャネルが導入され得る。サブフレーム中の最初のいくつかの制御シンボルを占有するレガシーＰＤＣＣＨとは異なり、ｅＰＤＣＣＨは、ＰＤＳＣＨと同様にデータ領域を占有し得る。ｅＰＤＣＣＨの可能な利点は、制御チャネル容量の増加、周波数領域セル間干渉消去（ＩＣＩＣ）のためのサポート、制御チャネルリソースの空間再利用の改善、ビームフォーミングおよび／またはダイバーシティのためのサポート、ニューキャリアタイプ上およびＭＢＳＦＮサブフレーム中の動作、およびレガシーＵＥと同じキャリア上の共存を含み得る。
【００７６】
[0085]ｅＰＤＣＣＨの局所送信と分散送信の両方がサポートされ得る。ＤＭ−ＲＳベースのｅＰＤＣＣＨ送信は、たとえば、アンテナポート１０７、１０８、１０９、および１１０を利用してサポートされ得るが、ＰＤＳＣＨはアンテナポート７〜１４を利用する。ｅＰＤＣＣＨはまた、ＦＤＭベースであり、たとえば、サブフレームの第１のタイムスロットと第２のタイムスロットの両方にわたり得る（ＦＤＭベースのｅＰＤＣＣＨ）。場合によっては、たとえば、ＵＥのための処理要件の緩和を可能にするために、送信時間間隔（ＴＴＩ：transmission time interval）中で受信可能なトランスポートチャネル（ＴｒＣＨ：transport channel）ビットの最大数に対する制限があり得る。
【００７７】
[0086]ＰＲＢペア内のＰＤＳＣＨとｅＰＤＣＣＨとの多重化は許容されないことがある。したがって、これは、ＴＤＭベースのＲ−ＰＤＣＣＨとは異なる。ＬＴＥ−１１では、ｅＰＤＣＣＨのための共通探索空間がないことがあるが、これは将来のリリースで導入され得る。また、Ｒ−ＰＤＣＣＨのための共通探索空間がないことに留意されたい。
【００７８】
[0087]ｅＰＤＣＣＨタイプ制御チャネルとＲ−ＰＤＣＣＨタイプ制御チャネルとを比較するときに、様々な観測が行われ得る。たとえば、ＴＤＭベースのＲ−ＰＤＣＣＨは初期復号利益を提供し、ＣＲＳとＤＭ−ＲＳの両方とともに動作することができるが、ＤＬ動作に対してあまり効率的でないことがある（Ｒｅｌ−１０に記載の共通探索空間がない）。Ｒ−ＰＤＣＣＨの性能は、復号が第１のスロット中のＤＭ−ＲＳにのみ依拠する場合に損なわれ得るが、第２のスロットＤＭ−ＲＳがＲ−ＰＤＣＣＨ復号のために使用される場合、初期復号利益は損なわれることになる。ＰＲＢペアが（第２のスロット中のみにある）ＵＬ許可のみを搬送する場合、ＰＲＢペアの第１のスロットは浪費されることになり、その結果、ＤＬ効率の何らかの損失を生じる可能性がある。
【００７９】
[0088]一方、ＦＤＭベースのｅＰＤＣＣＨは、より効率的であり得る（場合によっては、共通探索空間を有する）が、初期復号利益を有せず、Ｒｅｌ−１１ではＤＭ−ＲＳのみとともに動作するように設計されている。影響を最小限に抑えるために（たとえば、ＰＤＳＣＨ送信とＨＡＲＱフィードバックとの間の３ｍｓ処理遅延を満たすために）、ＵＥは、特に大きいＵＬタイミングアドバンスにおいてピークレートＰＤＳＣＨ送信を処理する可能でないことがある。さらに、上述したように、特に大きいＵＬタイミングアドバンスをもつＵＥの場合、ｅＮＢにおいて、何らかのトランスポートブロックサイズ制限が行われ得る。ＵＥのためのタイミングアドバンス情報はｅＮＢによって知られないことがあるが、ｅＮＢは、ＵＥのタイミングアドバンス情報を決定することが可能であり得る。また、レガシーキャリアタイプのセルでは、共通またはセル固有基準信号（ＣＲＳ：cell-specific reference signal）が送信されなければならない。ｅＰＤＣＣＨが常にＤＭ−ＲＳに基づくので、ＣＲＳによって占有されるリソース要素（ＲＥ）は、ｅＰＤＣＣＨのために利用可能でない。したがって、ＣＲＳベースのＲ−ＰＤＣＣＨと比較して、ｅＰＤＣＣＨは、ＣＲＳによる何らかの次元損失を経験することになる。ニューキャリアタイプのセルでは、ＣＲＳは、すべてのサブフレーム中で、および／または全帯域幅を用いて送信されないことがある。特に、ＣＲＳがないサブフレームでは、ｅＰＤＣＣＨのための次元損失はないであろう。
【００８０】
[0089]したがって、ＰＤＣＣＨのどのタイプが特定のシナリオに最も好適であるかを決定するときに、様々な問題が考慮され得る。たとえば、異なる中継ノードは、異なる処理能力を有し得る。たとえば、中継ノードは電力源にプラグ接続され、より高次の複雑さの処理を与えることが可能であり得る。他方では、中継ノードはバッテリーに依拠し得、より低次の複雑さの処理を選好し得る。電力制限がほとんどまたはまったくない基地局によって実行される中継機能は、より強力な処理を与え得るが、ユーザ機器によって実行される中継機能は、あまり強力でないことがある。別の例として、サブフレームがＣＲＳを含んでいる場合、ＣＲＳオーバーヘッドによる、ＤＭ−ＲＳベースのｅＰＤＣＣＨの場合の次元損失を回避するために、ＣＲＳベースのＲ−ＰＤＣＣＨが選定され得る。別の例として、中継ノードがニューキャリアタイプである場合、中継ノードが単にスパース様式でＣＲＳを送信しているので、ｅＰＤＣＣＨが選定され得る。別の例として、ドナーｅＮＢがレガシーキャリアタイプであり、レガシーＰＤＣＣＨを送信し、ドナーｅＮＢによってサービスされる中継ノードが（中継ノードが、それ自体によってレガシー制御を送信する必要がないような）ニューキャリアタイプである場合、レガシーＰＤＣＣＨとｅＰＤＣＣＨの両方は、バックホール通信のための中継ノードによってサポートされ得る。いくつかの態様によれば、Ｒ−ＰＤＣＣＨとｅＰＤＣＣＨとの間の選択のための機構と同様の機構は、バックホール通信のためのレガシーＰＤＣＣＨとｅＰＤＣＣＨとの間の選択にも適用可能である。
【００８１】
[0090]処理能力はチャネル状態にも依存し得る。たとえば、中継ノードの処理能力は、ＲＮにおけるＵＬタイミングアドバンスに依存し得る（一般に、ＲＮにおけるＵＬタイミングアドバンスは、ＲＮがドナーｅＮＢからどのくらい離れているかに依存し、距離が遠ければ遠いほど、ＵＬタイミングアドバンスは大きくなる）。大きいＵＬタイミングアドバンスは、一般に、ＰＤＳＣＨ送信と対応するＨＡＲＱフィードバックとの間のより短い処理遅延を暗示する。別の例として、モバイル中継器は、固定から高速に遷移し、チャネル状態の対応する変化は、Ｒ−ＰＤＣＣＨまたはｅＰＤＣＣＨの中継器の処理に影響を及ぼし得る。
【００８２】
[0091]本開示のいくつかの態様によれば、これらの問題は、様々な基準に基づいてＲ−ＰＤＣＣＨまたはｅＰＤＣＣＨの間の選択を可能にすることによって対処され得る。
【００８３】
[0092]中継ノードおよび／または対応するドナーｅＮＢの能力および／または動作状態に応じて、Ｒ−ＰＤＣＣＨを使用すべきかｅＰＤＣＣＨを使用すべきかの決定が行われ得る。場合によっては、決定は、ドナーｅＮＢ（ＤｅＮＢ：donor eNB）によってのみ行われ得る。ドナーｅＮＢ（ＤｅＮＢ）は、中継ノードのタイプおよび／または動作状態を決定し、中継ノードのためにＲ−ＰＤＣＣＨが使用されるべきかｅＰＤＣＣＨが使用されるべきかを示し得る。
【００８４】
[0093]代替的に、その決定は中継ノードによって支援され得る。たとえば、中継ノードは、明示的にまたは暗黙的に、Ｒ−ＰＤＣＣＨまたはｅＰＤＣＣＨに対するそれの選好を示し得る。いくつかの態様によれば、中継ノードは、ＤｅＮＢへの送信において１ビット情報フィールドを介してＲ−ＰＤＣＣＨまたはｅＰＤＣＣＨに対するそれの選好を示し得る。他の態様によれば、中継ノードは、それの処理状態、電力状態などを示すことによって、暗黙的にＲ−ＰＤＣＣＨまたはｅＰＤＣＣＨに対するそれの選好を示し得る。
【００８５】
[0094]場合によっては、決定は、中継ノードがＵＥとしてシステムに最初にアクセスするチャネルのタイプにリンクされ得る。中継ノードは、最初にシステムにアクセスするときにＵＥとして働き、それが機能を中継することを行うことに遷移する前に必要な情報を取得するために、レガシーＰＤＣＣＨまたはｅＰＤＣＣＨに依拠し得る。たとえば、システムに最初にアクセスするときに中継ノードがＰＤＣＣＨのみに依拠する場合、バックホールのためのＲ−ＰＤＣＣＨが使用され得る。一方、システムに最初にアクセスするときに中継ノードがｅＰＤＣＣＨを使用する場合、バックホールのためにｅＰＤＣＣＨが使用され得る。
【００８６】
[0095]場合によっては、決定はキャリアタイプにリンクされ得る。たとえば、中継ノードおよび／またはドナーｅＮＢのためのキャリアがニューキャリアタイプである場合、ニューキャリアタイプが、制御チャネルの１つのタイプ、すなわちｅＰＤＣＣＨを扱うだけでよいようにバックホールのためにｅＰＤＣＣＨが使用され得、他の場合、Ｒ−ＰＤＣＣＨとｅＰＤＣＣＨの両方が使用され得る（したがって、レガシーキャリア中継ノードは、制御チャネルの３つのタイプ、すなわち、ＰＤＣＣＨとＲ−ＰＤＣＣＨとｅＰＤＣＣＨとを扱う必要があり得る）。場合によっては、決定は、ＣＲＳの不在または存在にリンクされ得る。一例として、サブフレームがＣＲＳを含んでいる場合、ＣＲＳベースのＲ−ＰＤＣＣＨが使用され得、他の場合、ＤＭ−ＲＳベースのｅＰＤＣＣＨが使用され得る。
【００８７】
[0096]制御チャネルタイプの指示は、専用シグナリングまたはブロードキャスト／マルチキャストシグナリングによって行われ得る。いくつかの態様によれば、制御チャネルタイプは半静的に示され得る。いくつかの態様によれば、動的指示、たとえば、サブフレーム依存Ｒ−ＰＤＣＣＨおよびｅＰＤＣＣＨが可能である。
【００８８】
[0097]様々な例示的な使用事例が可能である。たとえば、ドナーｅＮＢは、中継ノードの２つのタイプ、すなわち、基地局中継器とＵＥ中継器とを管理し得、ただし、ｅＰＤＣＣＨは基地局中継器のために使用され、Ｒ−ＰＤＣＣＨはＵＥ中継器のために使用される。モバイル中継器は、それが固定であるとき、ｅＰＤＣＣＨから開始し、それが高速で移動し始めたとき、ＣＲＳベースのＲ−ＰＤＣＣＨに切り替えるように要求し得る。中継ノードとＤｅＮＢとの間のより長い距離は、一般に、大きいアップリンクタイミングアドバンスと、したがってＰＤＳＣＨからＨＡＲＱフィードバックまでのより少ない処理時間とを意味し、Ｒ−ＰＤＣＣＨが好ましくなり得ることを暗示するので、ＤｅＮＢに近い中継ノードは、バックホールのためにｅＰＤＣＣＨを使用し得、ＤｅＮＢから遠く離れた中継ノードは、バックホールのためにＲ−ＰＤＣＣＨを使用し得る。
【００８９】
[0098]場合によっては、中継ノードと基地局との間のチャネル状態に関係する１つまたは複数の基準に基づいて、ＰＤＣＣＨタイプが選択され得る。たとえば、中継ノードのアップリンクタイミングアドバンスがしきい値を上回る（たとえば、中継ノードからドナー基地局までのかなりの距離を示す）場合、ＰＤＣＣＨの第１のタイプ（たとえば、Ｒ−ＰＤＣＣＨ）が選択され得、中継ノードのアップリンクタイミングアドバンスがしきい値を下回る（たとえば、中継ノードがドナー基地局により近いことを示す）場合、ＰＤＣＣＨの第２のタイプ（たとえば、ｅＰＤＣＣＨ）が選択され得る。
【００９０】
[0099]場合によっては、中継ノードのモビリティに関係する１つまたは複数の基準に基づいて、ＰＤＣＣＨタイプが選択され得る。たとえば、中継ノードがしきい値を上回る速度で移動している場合、ＰＤＣＣＨの第１のタイプ（たとえば、Ｒ−ＰＤＣＣＨ）が選択され得るが、中継ノードが固定であるか、またはしきい値を下回る速度で移動している場合、ＰＤＣＣＨの第２のタイプ（たとえば、ｅＰＤＣＣＨ）が選択され得る。
【００９１】
[00100]ＬＴＥ  Ｒｅｌ−１１では、ＵＥのためのＣｏＭＰ動作が導入される。同様に、ＣｏＭＰ動作は、中継バックホールにも適用され得る。これは、たとえば、Ｒ−ＰＤＣＣＨ、および対応するＰＤＳＣＨ、ＰＵＳＣＨ、ＰＵＣＣＨ、ＳＲＳなどのための仮想セルＩＤ、干渉測定リソース（ＩＭＲ：interference measurement resource）、ＰＤＳＣＨのレートマッチングパラメータの動的指示、ならびにＤＭ−ＲＳとＣＳＩ−ＲＳとの間の擬似コロケーションを用いたモバイル中継器のために特に有用であり得る。たとえば、Ｒ−ＰＤＣＣＨは、別々に構成されたリソースの２つのセットを有するように強化させられ得、異なるリソース割振りタイプをも有し得る。リソースの各セットは、それ自体の仮想セルＩＤと、Ｒ−ＰＤＣＣＨ開始シンボルと、Ｒ−ＰＤＣＣＨ終了シンボルと、Ｒ−ＰＤＣＣＨインターリーブモード（たとえば、ＤＭ−ＲＳベースのＰＲＢインターリーブ、ＣＲＳベースのＰＲＢインターリーブ、ＣＲＳベースのＲＥＧインターリーブ）とを有し得る。たとえば、２つ以上のＤＬタイミングケースおよび／またはＵＬタイミングケースは、中継ノードをサービスすることに関与する２つ以上のドナーｅＮＢを同時にターゲットにする中継ノードによってサポートされ得る。
【００９２】
[00101]一実施形態では、バックホール通信のためにｅＰＤＣＣＨが使用されるとき、何らかの変更が必要である。たとえば、異なるダウンリンクバックホールのタイミングケースに対処するために、ｅＰＤＣＣＨと対応するスケジュールされたＰＤＳＣＨとのための終了シンボルが指定され得る。特に、サブフレーム中でドナーｅＮＢと中継ノードとの間にタイミングオフセットがある場合、ｅＰＤＣＣＨと対応するＰＤＳＣＨとのための終了シンボルは、サブフレームの最後のシンボルであり得る。ドナーｅＮＢと中継ノードとがサブフレーム中で同期している場合、ｅＰＤＣＣＨと対応するＰＤＳＣＨとのための終了シンボルは、サブフレームの最後から２番目のシンボルであり得る。ｅＰＤＣＣＨリソースの２つ以上のセットが構成された場合、２つ以上のセットは、同じまたは異なる終了シンボルを有し得る。ｅＰＤＣＣＨリソースの２つ以上のセットは、同じまたは異なる開始シンボルをも有し得る。ｅＰＤＣＣＨリソースの２つ以上のセットはまた、異なるダウンリンクタイミングケースおよび／またはアップリンクタイミングケースに関連付けられ得る。
【００９３】
[00102]図９に、たとえば、基地局（たとえば、ＤｅＮＢ）によって実行され得る例示的な動作９００を示す。動作は、９０２において、１つまたは複数の基準に基づいて、基地局と基地局によってサービスされるユーザ機器（ＵＥ）との間の送信を中継するために使用される半二重中継ノードへの送信のために、物理ダウンリンク制御チャネル（ＰＤＣＣＨ）の第１のタイプまたはＰＤＣＣＨの第２のタイプを選択することから開始する。９０４において、基地局は、サブフレーム中で選択されたタイプのＰＤＣＣＨを半二重中継ノードに送信する。
【００９４】
[00103]図９に示された動作は、任意の好適な手段によって実行され得る。たとえば、選択することおよび送信することは、図３に示されたｅＮＢ１１０のプロセッサのうちの１つまたはその組合せによって実行され得る。
【００９５】
[00104]いくつかの態様によれば、基地局は、Ｒ−ＰＤＣＣＨのための複数のリソース割振りを構成し得る。
【００９６】
[00105]いくつかの態様によれば、基地局は、サブフレーム中でｅＰＤＣＣＨのための終了シンボルを構成し得る。
【００９７】
[00106]図１０に、たとえば、中継ノードによって実行され得る例示的な動作１０００を示す。動作は、１００２において、基地局と基地局によってサービスされるユーザ機器（ＵＥ）との間の送信を中継するために中継ノードを使用する基地局から送信される物理ダウンリンク制御チャネル（ＰＤＣＣＨ）の第１のタイプをモニタすべきかＰＤＣＣＨの第２のタイプをモニタすべきかを決定することから開始する。１００４において、中継ノードは、サブフレーム中で決定されたタイプのＰＤＣＣＨをモニタする。
【００９８】
[00107]図１０に示された動作は、任意の好適な手段によって実行され得る。たとえば、決定することおよびモニタすることは、図３に示されたｅＮＢ１１０またはＵＥ１２０のプロセッサのうちの１つまたはその組合せによって（いずれかが中継ノードとして働いている場合）実行され得る。
【００９９】
[00108]いくつかの態様によれば、中継ノードは、Ｒ−ＰＤＣＣＨのために行われる複数のリソース割振りの指示を受信し得る。
【０１００】
[00109]いくつかの態様によれば、中継ノードは、サブフレーム中でｅＰＤＣＣＨのための終了シンボルの構成の指示を受信し得る。
【０１０１】
[00110]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０２】
[00111]さらに、本明細書の開示に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課された設計制約に依存する。当業者は、説明した機能を特定の適用例ごとに様々な方法で実装し得るが、そのような実装の判定は、本開示の範囲からの逸脱を生じるものと解釈すべきではない。
【０１０３】
[00112]本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０４】
[00113]本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【０１０５】
[00114]１つまたは複数の例示的な設計では、説明した機能は、ハードウェア、ソフトウェア、ファームウェア、またはそれらの組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、汎用または専用コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の媒体を備えることができる。また、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含めるべきである。
【０１０６】
[00115]本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
【図１】
2015535663.tif 000004
【図２】
2015535663.tif 000005
【図３】
2015535663.tif 000006
【図４Ａ】
2015535663.tif 000007
【図４Ｂ】
2015535663.tif 000008
【図５】
2015535663.tif 000009
【図６】
2015535663.tif 000010
【図７】
2015535663.tif 000011
【図８】
2015535663.tif 000012
【図９】
2015535663.tif 000013
【図１０】
2015535663.tif 000014
【国際調査報告】
2015535663.tif 000015
2015535663.tif 000016
2015535663.tif 000017